(57)【要約】【課題】トナーフィルタの交換を容易にすることができるとともに、トナークラウドの発生を長期的に抑制することができる画像形成装置を提供する。【解決手段】トナーを格納し現像部１４Ｙにトナー供給するトナーボトル１５Ｙを備えた画像形成装置において、トナーボトル１５Ｙは、現像部１４Ｙに設けられた排気用開口部１４２１Ｙと連結して前記現像部１４Ｙ内の空気を外部へ抜くダクト部１５２Ｙと、ダクト部１５２Ｙに配置されるトナーフィルタ１５２３Ｙとを備えている。【選択図】          図５
2007121471.tif 000002
【特許請求の範囲】
【請求項１】
トナーを格納し現像装置に前記トナー供給するトナーボトルを備えた画像形成装置において、
前記トナーボトルは、前記現像装置内の空気中のトナーを捕集するトナーフィルタを備えることを特徴とする画像形成装置。
【請求項２】
前記トナーボトルは、前記現像装置に設けられた開口部と連結して前記現像装置内の空気を外部へ抜くダクト部を備え、
前記トナーフィルタは、前記ダクト部に配置されていることを特徴とする請求項１に記載の画像形成装置。
【請求項３】
前記トナーボトルには、前記現像装置に設けられた開口部と前記ダクト部とを連結する連結穴が形成され、
前記トナーフィルタは、前記連結穴が形成されていない領域に配置されていることを特徴とする請求項２に記載の画像形成装置。
【請求項４】
前記現像装置内のトナーが前記トナーフィルタに付着することを防止する付着防止手段を備えたことを特徴とする請求項１乃至３の何れかに記載の画像形成装置。
【請求項５】
前記現像装置内の空気を強制的に外部へ送風する送風手段を備えたことを特徴とする請求項１乃至４の何れかに記載の画像形成装置。
【発明の詳細な説明】
【技術分野】
【０００１】
本発明は、画像形成装置に関する。
【背景技術】
【０００２】
従来から、現像器からのトナークラウドを低減するための技術として、現像器に圧抜き穴を設けて現像器内の空気を逃がす画像形成装置が知られている。圧抜き穴から逃がした空気にはトナーが含まれているため、布・紙・不織布などのフィルターにより、空気中のトナーを捕集する必要がある。しかし、このようにフィルターにより空気中のトナーを捕集する場合には、長期の使用によりトナーがフィルターに目詰まりを起こして、空気が逃げにくくなる場合がある。空気が逃げにくくなると、現像器内の圧力が上昇してトナークラウドの発生を抑制できないという問題がある。
【０００３】
このような問題を解決する技術として、像担持体ユニットに対して着脱可能にフィルタユニットを装着し、画像形成装置のメンテナンス時にフィルタユニットの着脱・交換を容易に行うことができる画像形成装置が提案されている（特許文献１参照）。フィルタユニットを交換することにより、トナークラウドの低減を維持することができる。
【０００４】
【特許文献１】特開平５−３４６７２８号公報
【発明の開示】
【発明が解決しようとする課題】
【０００５】
しかし、上述した画像形成装置においては、ユーザ或いはサービスマンによるフィルタユニットの交換作業が必要になる。このため、フィルタユニットの交換作業にユーザの手を煩わせ、またサービスコストがかかるという問題がある。
【０００６】
そこで、本発明は上記事情に鑑みて、トナーフィルタの交換を容易にすることができるとともに、トナークラウドの発生を長期的に抑制することができる画像形成装置を提供することが目的である。
【課題を解決するための手段】
【０００７】
上記目的は、トナーを格納し現像装置に前記トナー供給するトナーボトルを備えた画像形成装置において、前記トナーボトルは、前記現像装置内の空気中のトナーを捕集するトナーフィルタを備える画像形成装置によって達成できる。
【０００８】
この構成により、トナーボトルを交換するときに併せてトナーフィルタを交換することができるので、トナーフィルタの交換を容易にすることができる。また、トナーボトルを交換するとトナーフィルタをも交換されるため、トナークラウドの発生を長期的に抑制することができる。
【０００９】
また、前記トナーボトルは、前記現像装置に設けられた開口部と連結して前記現像装置内の空気を外部へ抜くダクト部を備え、前記トナーフィルタは、前記ダクト部に配置されている画像形成装置によって達成できる。
【００１０】
この構成により、現像装置内の圧力の上昇を防止でき、トナークラウドの発生を抑制できる。また、トナーフィルタによるトナーの捕集を効率的に行うことができる。
【００１１】
また、前記トナーボトルには、前記現像装置に設けられた開口部と前記ダクト部とを連結する連結穴が形成され、前記トナーフィルタは、前記連結穴が形成されていない領域に配置されている画像形成装置によっても達成できる。
【００１２】
ダクト内へのトナーの侵入を防止する都合上開口部や連結穴を大きく形成することはできないため、トナーフィルタを連結穴が形成されていない領域に配置することにより、面積の大きいトナーフィルタの配置が可能となる。これにより、トナーフィルタによるトナーの捕集量も増加するため、トナーフィルタの目詰まりを抑制してトナーフィルタの交換のタイミングを遅らせることができる。従って、トナーボトルを交換するタイミングよりも前にトナーフィルタが目詰まりを起こすことを防止できる。また、面積の大きいトナーフィルタの配置することによりトナーフィルタの目詰まりを抑制することができるので、トナークラウドの発生を長期的に抑制することができる。
【００１３】
また、前記現像装置内のトナーが前記トナーフィルタに付着することを防止する付着防止手段を備えた画像形成装置によっても達成できる。
【００１４】
この構成により、現像装置内のトナーがトナーフィルタに付着することに伴うトナーフィルタの目詰まりを防止できる。これにより、トナークラウドの発生を長期的に抑制することができる。
【００１５】
また、前記現像装置内の空気を強制的に外部へ送風する送風手段を備えた画像形成装置によっても達成できる。
【００１６】
この構成により、現像装置内の圧力の上昇を防止できトナークラウドの発生を長期的に抑制することができる。
【発明の効果】
【００１７】
本発明によれば、トナーフィルタの交換を容易にすることができるとともに、トナークラウドの発生を長期的に抑制することができる画像形成装置を提供できる。
【発明を実施するための最良の形態】
【００１８】
以下、本発明の実施形態について説明する。
図１は、本発明に係る画像形成装置の構成図である。画像形成装置は、感光体１、帯電ローラ２、潜像形成装置３、現像ロータリーユニット４、中間転写体５、駆動ローラ７ａ、従動ローラ７ｂ、１次転写ローラ８、クリーニング装置１０、２次転写ローラ１１とから構成される。
【００１９】
感光体１は、矢印の方向に回転駆動され、その表面に帯電ローラ２により一様に帯電される。次に潜像形成装置３からレーザビーム３ａによる露光が施され、第１の静電潜像が形成される。このように形成された静電潜像は、現像ロータリーユニット４により、現像、可視化される。
【００２０】
現像ロータリーユニット４は、トナー色の異なる複数の現像ユニット１００Ｙ、１００Ｍ、１００Ｃ、１００Ｋを備える。この現像ユニット１００Ｙ、１００Ｍ、１００Ｃ、１００Ｋは、各々現像スリーブを有し、イエロートナーが内包された第１の現像ユニット１００Ｙ、マゼンタトナーが内包された第２の現像ユニット１００Ｍ、シアントナーが内包された第３の現像ユニット１００Ｃ、ブラックトナーが内包された第４の現像ユニット１００Ｋを一体化した構成となっている。各現像ユニット１００Ｙ、１００Ｍ、１００Ｃ、１００Ｋは、それぞれ現像部（現像装置）１４Ｙ、１４Ｍ、１４Ｃ、１４Ｋと、トナーボトル１５Ｙ、１５Ｍ、１５Ｃ、１５Ｋとを備える。まず上記静電潜像は、第１色目のトナーとしてイエロートナーが内包された第１の現像ユニット１００Ｙにより現像、可視化される。
【００２１】
可視化された感光体１上のイエロートナー像は、矢印の方向に回転駆動され、ベルト状を成す中間転写体５と対向する第１次転写位置において、中間転写体５表面に静電転写（１次転写）される。そしてこの中間転写体５は、駆動ローラ７ａ、従動ローラ７ｂにより支持されるとともに、上記感光体１に対して１次転写ローラ８により所定の押圧力をもって圧接されつつ、感光体１の周速度と略等速の周速度をもって感光体１の回転方向に対して順方向に回転駆動される。そして、上記のように感光体１表面に形成されたトナー像は、上記１次転写ローラ８に対して、高圧電源（不図示）により、トナーの正規の帯電極性とは逆極性の電圧（１次転写バイアス）が印加されることにより、中間転写体５表面に静電転写（１次転写）される。尚、１次転写が終了した感光体１表面に若干量残存する１次転写残トナーは、クリーニング装置１０により除去される。
【００２２】
上記工程を３回繰り返し、その都度、マゼンタトナーにより現像されたマゼンタトナー像、シアントナーにより現像されたシアントナー像、ブラックトナー像により現像されたブラックトナー像が順次中間転写体５表面に転写、積層される。その後、中間転写体５表面に対して離間状態にあった２次転写ローラ１１が所定の押圧力をもって中間転写体５を介して従動ローラ７ｃに圧接、回転駆動される。上記２次転写ローラ１１に対しては、高圧電源（不図示）により、トナーの正規の帯電極性とは逆極性の電圧（２次転写バイアス）が印加されることにより、第２次転写位置に所定のタイミングで搬送されてくる転写材Ｐ表面に、中間転写体５表面に順次、積層して形成されたトナー像が一括転写（２次転写）され、この転写材Ｐは定着装置（不図示）へと搬送され、永久画像として定着された後、機外へと排出される。
【００２３】
次に、各現像ユニットに備えられているトナーボトルについて説明する。尚、現像ユニット１００Ｙを例にとって説明する。
図２は、トナーボトル１５Ｙの概略を示す構成図である。
トナーボトル１５Ｙには、トナー収納部１５１Ｙ、ダクト部１５２Ｙを備える。このトナー収納部１５１Ｙとダクト部１５２Ｙとは、トナーボトル１５Ｙの内部に設けられている仕切り板１５０Ｙによって分けられている。トナー収納部１５１Ｙには、イエロートナーが収納されている。トナー収納部１５１Ｙには、後述する現像部１４Ｙにイエロートナーを補給するための補給用開口部１５１１Ｙが形成されている。
ダクト部１５２Ｙには、第１開口部（連結穴）１５２１Ｙ、第２開口部１５２２Ｙが形成されている。第１開口部１５２１Ｙと第２開口部１５２２Ｙとは、互いに対向する位置に形成されている。第２開口部１５２２Ｙは、第１開口部１５２１Ｙよりも大きく形成されている。補給用開口部１５１１Ｙと第１開口部１５２１Ｙとは、トナーボトル１５Ｙのほぼ同一側面上に形成されている。
また、ダクト部１５２Ｙは、排気用開口部１４２１Ｙと連結して現像部１４Ｙ内の空気を外部へ抜く。詳しくは後述する。ダクト部１５２Ｙには、トナーフィルタ１５２３Ｙが配置されている。詳細には、第１開口部１５２１Ｙを覆うようにトナーフィルタ１５２３Ｙが配置されている。
【００２４】
次に、各現像ユニットに備えられている現像部について説明する。
図３は、現像部１４Ｙの概略を示す構成図である。
現像部１４Ｙには、補給用開口部１５１１Ｙから供給されるイエロートナーを取り込むための供給用開口部１４１１Ｙと、ダクト部１５２Ｙと連結される排気用開口部１４２１Ｙとが形成されている。
【００２５】
図４は、現像部とトナーボトルとの構成を示した斜視図である。
現像部１４Ｙとトナーボトル１５Ｙとは、現像部１４Ｙに形成された排気用開口部１４２１Ｙと、ダクト部１５２Ｙに形成された第１開口部１５２１Ｙとが連結し、また、現像部１４Ｙに形成された供給用開口部１４１１Ｙと、トナー収納部１５１Ｙに形成された補給用開口部１５１１Ｙとが連結するように設置される。
【００２６】
図５は、現像ユニットの構成を示した断面図である。
現像部１４Ｙは、現像ロール１４１Ｙ、ハウジング１４３Ｙ、ミキシングオーガ１４４Ｙ、１４５Ｙで構成されており、トナーと磁性キャリアとからなる現像剤が収容されるハウジング１４３Ｙの内部に２本のミキシングオーガ１４４Ｙ、１４５Ｙが配設されている。ミキシングオーガ１４４Ｙ、１４５Ｙは、互いに逆方向に現像剤を搬送するように回転方向が決定されており、このように、トナーと磁性キャリアとを均一に混合することで、現像剤のトナー濃度、すなわちトナーの帯電量が一定に保たれている。
【００２７】
図５に示すように、現像部１４Ｙ内の空気は、矢印Ｃの指す方向に流れる。従って、現像部１４Ｙ内の空気を外部に放出することにより、現像部１４Ｙ内の圧力の上昇を防止して、トナークラウドを低減することができる。
また、トナーボトル１５Ｙにはトナーフィルタ１５２３Ｙを備えるため、トナーボトル１５Ｙを交換するときに併せてトナーフィルタ１５２３Ｙを交換することができるので、トナーフィルタ１５２３Ｙの交換を容易にすることができる。また、トナーボトル１５Ｙを交換するとトナーフィルタ１５２３Ｙをも交換されるため、トナークラウドの発生を長期的に抑制することができる。
尚、他の現像ユニットについても上記と同様に構成してもよいし、一部の現像ユニットについてのみ上記の構成を採用してもよい。
【００２８】
次に、上述した現像ユニット１００Ｙの変形例１について以下に説明する。尚、この現像ユニットの基本構成は、上述した現像ユニット１００Ｙと同様の構成である。よって、現像ユニット１００Ｙと同一の部分には同じ符号を付することで重複する説明を省略する。図６は、現像ユニット１００Ｙの変形例１に係る現像部とダクト部との構成を示した断面図である。この図６は図５と対応する。
【００２９】
図６に示すように、トナーフィルタ１５２３Ｙｂを、第２開口部１５２２Ｙを覆うように配置する。この現像ユニット１００Ｙの変形例１は、図５に示したトナーボトルと異なり、第１開口部１５２１Ｙにはトナーフィルタを覆わない構成となっている。第１開口部１５２１Ｙより大きく形成されている第２開口部１５２２Ｙにトナーフィルタ１５２３Ｙｂを覆うため、トナーフィルタ１５２３Ｙｂの面積は、図５に示したトナーフィルタ１５２３Ｙよりも大きい。
これは、現像部１４Ｙに形成された排気用開口部１４２１Ｙからダクト部１５Ｙ内へのトナーが侵入を防止する都合上排気用開口部１４２１Ｙや第１開口部１５２１Ｙを大きく形成することはできないため、第１開口部１５２１Ｙを覆うようにトナーフィルタを設置した場合には、トナーフィルタのトナーの捕集に使用される領域は第１開口部１５２１Ｙの大きさに限定されるからである。
しかし、図６に示すように、トナーフィルタ１５２３Ｙｂを第１開口部１５２１Ｙが形成されていない領域、具体的には、第２開口部１５２２Ｙを覆うように配置することにより、面積の大きいトナーフィルタを配置することができる。これにより、トナーフィルタによるトナーの捕集量も増加するため、トナーフィルタの目詰まりを抑制してトナーフィルタの交換のタイミングを遅らせることができる。従って、トナーボトルを交換するタイミングよりも前にトナーフィルタが目詰まりを起こすことを防止できる。また、面積の大きいトナーフィルタの配置することによりトナーフィルタの目詰まりを抑制することができるので、トナークラウドの発生を長期的に抑制することができる。
尚、本変形例では、トナーフィルタを第２開口部１５２２Ｙを覆うように配置したが、このような構成に限定されず、ダクト部１５２Ｙ内の第１開口部１５２１Ｙが形成されていない領域にトナーフィルタを配置すればよい。
【００３０】
また、図６に示したトナーボトルは、現像部１４Ｙに設けられた排気用開口部１４２１Ｙと連結して現像部１４Ｙの空気を外部へ抜くダクト部１５２Ｙを備え、トナーフィルタ１５２３Ｙｂは、ダクト部１４Ｙに配置されている。このように、現像部内の圧力の上昇を防止でき、トナークラウドの発生を抑制できる。また、トナーフィルタによるトナーの捕集を効率的に行うことができる。
【００３１】
図７は、現像ユニット１００Ｙの変形例１を用いた画像形成装置と従来の画像形成装置とのクラウド量について比較したグラフである。このグラフは縦軸にクラウド量を示しおり、横軸は走行枚数を示している。トナーボトルは走行枚数が２万枚を超える毎に交換されている。図７に示すように、従来の画像形成装置のクラウド量は１３〜１６（ｇ／ｍ３）であるのに対し、現像ユニット１００Ｙの変形例１を用いた画像形成装置のクラウド量は３〜５（ｇ／ｍ３）と低減される。また、現像ユニット１００Ｙの変形例１を用いた画像形成装置は、走行枚数が増加してもクラウド量が大幅に増加することはなく、トナークラウドの発生が長期的に抑制されることを示している。
【００３２】
次に、上述した現像ユニット１００Ｙの変形例２について以下に説明する。尚、この現像ユニットの基本構成は、上述した現像ユニット１００Ｙと同様の構成である。よって、現像ユニット１００Ｙと同一の部分には同じ符号を付することで重複する説明を省略する。図８は、現像ユニット１００Ｙの変形例２に係る現像部とダクト部との構成を示した断面図である。この図８は図５と対応する。
【００３３】
図８に示すように、現像部１４Ｙには排気用開口部１４２１Ｙを開閉する開閉部材（付着防止手段）１４６Ｙが設けられている。開閉部材１４６Ｙは、排気用開口部１４２１Ｙ近傍のハウジング１４３Ｙの内壁に固定され、固定された位置を支点として排気用開口部１４２１Ｙを開閉可能に形成されている。図１に示した現像ロータリーユニット４の回転により、現像部１４Ｙは、図８に示す矢印Ｄの方向（反時計回り）に回転する。
【００３４】
図９及び図１０は、現像ユニットの変形例２に係る現像部が回転した場合の状態を示した図である。図９の（ａ）は、現像部１４Ｙを、図８に示した状態から４５°反時計回りに回転させたときの状態を示した図である。図９の（ａ）に示すように、開閉部材１４６Ｙは自重により垂直下方向を指し、排気用開口部１４２１Ｙが開閉部材１４６Ｙにより閉じられることはない。従って、図９の（ａ）に示す状態にあっては、現像部１４Ｙ内の空気を外部に抜くことができる。
図９の（ｂ）は、現像部１４Ｙを図９の（ａ）に示した状態から更に４５°反時計回りに回転させたときの状態を示した図である。図９の（ａ）に示すように、開閉部材１４６Ｙは自重により垂直下方向を指し、排気用開口部１４２１Ｙが開閉部材１４６Ｙにより閉じられる。図９の（ｃ）は、図９の（ｂ）に示した状態から更に４５°反時計回りに回転させたときの状態を示し、同様に図９の（ｄ）、図１０の（ａ）、図１０の（ｂ）、図１０の（ｃ）と順に反時計回りに４５°回転させたときの現像部１４Ｙの状態を示している。
【００３５】
図９の（ｂ）から図１０の（ｂ）まで、排気用開口部１４２１Ｙが開閉部材１４６Ｙにより閉じられる。このように、開閉部材１４６Ｙが排気用開口部１４２１Ｙを閉じることによって、現像部１４Ｙ内のトナーがダクト部１５２Ｙ内に配置されたトナーフィルタ１５２３Ｙに付着することを防止できる。特に、現像部１４Ｙが図９の（ｄ）から図１０の（ｂ）に示されている状態にある場合には、排気用開口部１４２１Ｙが開放されていると、そこからトナーがダクト部１５２Ｙに侵入し、トナーフィルタ１５２３Ｙに付着する恐れがある。開閉部材１４６Ｙによって排気用開口部１４２１Ｙが閉じられることにより、現像部１４Ｙ内のトナーがトナーフィルタ１５２３Ｙに付着することに伴うトナーフィルタ１５２３Ｙの目詰まりを防止できる。これにより、トナークラウドの発生を長期的に抑制することができる。
また、現像部１４Ｙが図１０の（ｃ）に示されている状態にある場合には、開閉部材１４６Ｙは排気用開口部１４２１Ｙを開放するので、現像部１４Ｙ内の空気を外部へ抜くことができる。
【００３６】
以上のように、開閉部材１４６Ｙは、現像部１４Ｙ内のトナーがトナーフィルタ１５２３Ｙに付着する恐れのある場合に排気用開口部１４２１Ｙを閉じる。このように、現像部１４Ｙの状態に応じて開閉部材１４６Ｙが排気用開口部１４２１Ｙを閉じることにより、現像部１４Ｙ内のトナーがトナーフィルタ１５２３Ｙに付着することを防止するとともに、現像部１４Ｙ内の空気を外部へ抜くことができ、トナークラウドの発生を長期的に抑制することが可能となる。
【００３７】
尚、開閉部材１４６Ｙは上記機構に限定されず、排気用開口部１４２１Ｙを開閉自在にする弁やシャッタ等であってもよい。また、ＣＰＵ（Central  Processing  Unit）やＲＯＭ（Read  Only  Memory）、ＲＡＭ（Random  Access  Memory）などのハードウェア、所要のソフトウェアにより実現され、画像形成装置全体の制御を行う制御部（不図示）により、現像部内のトナーがトナーフィルタに付着するおそれがある状況であるかどうかを判定し、付着しやすい状況にある判定した場合には、開閉部材１４６Ｙを駆動させて排気用開口部１４２１Ｙを閉じ、付着する恐れのない状況であると判定した場合には、排気用開口部１４２１Ｙを開放するように構成してもよい。
【００３８】
次に、上述した現像ユニット１００Ｙの変形例３について以下に説明する。尚、この現像ユニットの基本構成は、上述した現像ユニット１００Ｙと同様の構成である。よって、現像ユニット１００Ｙと同一の部分には同じ符号を付することで重複する説明を省略する。図１１は、現像ユニット１００Ｙの変形例３に係る現像部とダクト部との構成を示した断面図である。
【００３９】
図１１に示すようにダクト部１５２Ｙ内に、送風ファン（送風手段）１６Ｙが配置されている。この送風ファン１６Ｙが回転することにより、現像部１４Ｙ内の空気を強制的に外部へ送風することができる。これにより、現像装置内の圧力の上昇を防止できトナークラウドの発生を長期的に抑制することができる。
尚、上記例では送風ファン１６Ｙはダクト部１５２Ｙ内に配置しているが、それ以外の場所に配置してもよい。
【００４０】
以上本発明の好ましい実施例について詳述したが、本発明は係る特定の実施例に限定されるものではなく、特許請求の範囲に記載された本発明の要旨の範囲内において、種々の変形、変更が可能である。
例えば、トナーボトルにはキャリア回収領域を設けてもよく、ダクト部内にキャリア回収領域があってもよい。
【図面の簡単な説明】
【００４１】
【図１】本発明に係る画像形成装置の構成図である。
【図２】トナーボトル１５Ｙの概略を示す構成図である。
【図３】現像部１４Ｙの概略を示す構成図である。
【図４】現像部とトナーボトルとの構成を示した斜視図である。
【図５】現像ユニットの構成を示した断面図である。
【図６】現像ユニット１００Ｙの変形例１に係る現像部とダクト部との構成を示した断面図である。
【図７】現像ユニット１００Ｙの変形例１を用いた画像形成装置と従来の画像形成装置とのクラウド量について比較したグラフである。
【図８】現像ユニット１００Ｙの変形例２に係る現像部とダクト部との構成を示した断面図である。
【図９】現像ユニットの変形例２に係る現像部が回転した場合の状態を示した図である。
【図１０】現像ユニットの変形例２に係る現像部が回転した場合の状態を示した図である。
【図１１】現像ユニット１００Ｙの変形例３に係る現像部とダクト部との構成を示した断面図である。
【符号の説明】
【００４２】
１                                      感光体
２                                      帯電ローラ
３                                      潜像形成装置
４                                      現像ロータリーユニット
５                                      中間転写体
７ａ                                    駆動ローラ
７ｂ                                    従動ローラ
８                                      １次転写ローラ
１０                                    クリーニング装置
１１                                    ２次転写ローラ
１４Ｙ、１４Ｍ、１４Ｃ、１４Ｋ          現像部（現像装置）
１４１Ｙ                                現像ロール
１４３Ｙ                                ハウジング
１４４Ｙ、１４５Ｙ                      ミキシングオーガ
１４６Ｙ                                開閉部材（付着防止手段）
１４１１Ｙ                              供給用開口部
１４２１Ｙ                              排気用開口部
１５Ｙ、１５Ｍ、１５Ｃ、１５Ｋ          トナーボトル
１５０Ｙ                                仕切り板
１５１Ｙ                                トナー収納部
１５１１Ｙ                              補給用開口部
１５２Ｙ                                ダクト部
１５２１Ｙ                              第１開口部（連結穴）
１５２２Ｙ                              第２開口部
１５２３Ｙ、１５２３Ｙｂ                トナーフィルタ
１６Ｙ                                  送風ファン
１００Ｙ、１００Ｍ、１００Ｃ、１００Ｋ  現像ユニット
【図１】
2007121471.tif 000003
【図２】
2007121471.tif 000004
【図３】
2007121471.tif 000005
【図４】
2007121471.tif 000006
【図５】
2007121471.tif 000007
【図６】
2007121471.tif 000008
【図７】
2007121471.tif 000009
【図８】
2007121471.tif 000010
【図９】
2007121471.tif 000011
【図１０】
2007121471.tif 000012
【図１１】
2007121471.tif 000013